(57)【要約】  【課題】  駆動部及び従動部がそれぞれ複数の磁石から構成され、駆動部の運動が従動部に伝達されて回転軸が回転して動作するブラインドにおいて、駆動部及び従動部の大きさを小型化することができ、遮蔽材を遮ることのないようにする。  【解決手段】  駆動部２０及び従動部２４にはそれらの回転中心に対して周方向に交互に極性の異なる磁石２０Ｎ、２０Ｓ、２４Ｎ、２４Ｓがそれぞれ配置され、駆動部２０の複数の磁石２０Ｎ、２０Ｓがヘッドボックス１２の外面１２ａと平行に配置され、駆動部２０の回転中心と従動部２４の回転中心とは互いに直交すると共に同じ高さに配置される。【選択図】  図３
2006144362.tif 000002
【特許請求の範囲】
【請求項１】
ヘッドボックス（１２）の外側に駆動部（２０）が回転可能に設けられ、該駆動部（２０）に対向して、ヘッドボックス（１２）内の回転軸（１８）を回転駆動する従動部（２４）が設けられて、駆動部（２０）及び従動部（２４）がそれぞれ複数の磁石（２０Ｎ、２０Ｓ、２４Ｎ、２４Ｓ）を有し、駆動部（２０）の運動が従動部（２４）に伝達されて回転軸（１８）が回転して動作するブラインドにおいて、
駆動部（２０）及び従動部（２４）にはそれらの回転中心に対して周方向に交互に極性の異なる磁石（２０Ｎ、２０Ｓ、２４Ｎ、２４Ｓ）がそれぞれ配置され、駆動部（２０）の複数の磁石（２０Ｎ、２０Ｓ）がヘッドボックス（１２）の外面（１２ａ）と平行に配置され、駆動部（２０）の回転中心と従動部（２４）の回転中心とは互いに直交すると共に同じ高さに配置されることを特徴とするブラインド。
【請求項２】
駆動部（２０）の磁石（２０Ｎ、２０Ｓ）と従動部（２４）の磁石（２４Ｎ、２４Ｓ）の数が異なり、駆動部（２０）における操作速度に対して回転軸（１８）の回転速度が増速または減速されることを特徴とする請求項１記載のブラインド。
【請求項３】
前記駆動部（２０）の従動部（２４）へ磁力を及ぼす磁石（２０Ｎ、２０Ｓ）の配列が、従動部（２４）の回転軸（１８）に対して直交する方向を向いていることを特徴とする請求項１または２記載のブラインド。
【請求項４】
サッシ（３０）のガラス板（３４）間にヘッドボックス（１２）が配設され、ガラス板（３４）外に操作ユニット（１６）が配設され、該操作ユニット（１６）はサッシ（３０）に対し回転可能に配置された駆動部（２０）を有し、該駆動部（２０）に対向してヘッドボックス（１２）内にはヘッドボックス（１２）内の回転軸（１８）を回転駆動する従動部（２４）が配置され、駆動部（２０）及び従動部（２４）がそれぞれ複数の磁石（２０Ｎ、２０Ｓ、２４Ｎ、２４Ｓ）を有し、駆動部（２０）の運動が従動部（２４）に伝達されて回転軸（１８）が回転して動作するブラインドにおいて、
駆動部（２０）の複数の磁石（２０Ｎ、２０Ｓ）がヘッドボックス（１２）の外面（１２ａ）と平行に配置され、操作ユニット（１６）のガラス板（３４）面からの突出寸法がサッシ（３０）が引き違い可能な寸法に設定されることを特徴とするブラインド。
【発明の詳細な説明】
【技術分野】
【０００１】
本発明は、駆動部及び従動部がそれぞれ複数の磁石を有し、駆動部の運動が磁力により従動部に伝達されて回転軸が回転して動作するブラインドに関する。
【背景技術】
【０００２】
従来、この種のブラインドとしては、特許文献１に記載されたものが知られている。この特許文献１によれば、端面にＮ極とＳ極とを周方向に沿って交互に設けた磁性周面部を軸心方向に沿って複数並設し、各磁性周面部の位相を軸心周りに偏位させて形成した従動軸を軸心周りに回転自在に設け、端面にＮ極とＳ極とを周方向に沿って交互に設けて形成した磁性偏平面部を備えた駆動体を回転自在に設けている。そして、駆動体は、その磁性偏平面部が従動軸に向き且つ従動軸の軸心と直交する方向に沿う回転軸心周りに回転自在となっている。
【０００３】
【特許文献１】特開平５−２１４８８２号公報
【発明の開示】
【発明が解決しようとする課題】
【０００４】
しかしながら、上記従来のブラインドでは、磁性周面部が軸心方向に沿って複数並設されているため、端面にＮ極とＳ極とを周方向に沿って交互に設けた磁性偏平面部がこれら複数の並設された磁性周面部と対向するようにするためには、従動軸の軸心と、駆動体の軸心との高さをずらす必要があり、必然的に駆動体を従動軸の軸心よりも下方に配置する必要がある。そうすると、操作部となる駆動体がブラインドの遮蔽材側に位置づけられて遮蔽材を隠蔽することになり、ブラインドとしての機能が損なわれて見栄えも悪化する、という問題がある。
【０００５】
また、上記従来のブラインドでは、従動軸の磁性周面部が軸心方向に沿って複数並設されているため、従動軸の長さが長くなり、ヘッドボックス内の空間を従動軸が占有する領域が大きくなる、という問題がある。
【０００６】
本発明はかかる課題に鑑みなされたもので、駆動部及び従動部の大きさを小型化することができるブラインドを提供することをその目的とする。
【課題を解決するための手段】
【０００７】
前述した目的を達成するために、請求項１記載の発明は、ヘッドボックスの外側に駆動部が回転可能に設けられ、該駆動部に対向して、ヘッドボックス内の回転軸を回転駆動する従動部が設けられて、駆動部及び従動部がそれぞれ複数の磁石を有し、駆動部の運動が従動部に伝達されて回転軸が回転して動作するブラインドにおいて、
駆動部及び従動部にはそれらの回転中心に対して周方向に交互に極性の異なる磁石がそれぞれ配置され、駆動部の複数の磁石がヘッドボックスの外面と平行に配置され、駆動部の回転中心と従動部の回転中心とは互いに直交すると共に同じ高さに配置されることを特徴とする。
【０００８】
請求項２記載の発明は、請求項１記載の駆動部の磁石と従動部の磁石の数が異なり、駆動部における操作速度に対して回転軸の回転速度が増速または減速されることを特徴とする。
【０００９】
請求項３記載の発明は、請求項１または２記載のものにおいて、前記駆動部の従動部へ磁力を及ぼす磁石の配列が、従動部の回転軸に対して直交する方向を向いていることを特徴とする。
【００１０】
請求項４記載の発明は、サッシのガラス板間にヘッドボックスが配設され、ガラス板外に操作ユニットが配設され、該操作ユニットはサッシに対し回転可能に配置された駆動部を有し、該駆動部に対向してヘッドボックス内にはヘッドボックス内の回転軸を回転駆動する従動部が配置され、駆動部及び従動部がそれぞれ複数の磁石を有し、駆動部の運動が従動部に伝達されて回転軸が回転して動作するブラインドにおいて、
駆動部の複数の磁石がヘッドボックスの外面と平行に配置され、操作ユニットのガラス板面からの突出寸法がサッシが引き違い可能な寸法に設定されることを特徴とする。
【発明の効果】
【００１１】
請求項１記載の発明によれば、駆動部が回転することにより、周方向に交互に極性が異なるように配置された駆動部の磁石が移動するために、この極性の変化に応じて、同様に周方向に交互に磁性が異なるように配置された従動部の磁石が移動して、従動部に駆動部の回転が伝達される。
【００１２】
この際に、駆動部の回転中心と従動部の回転中心とが互いに直交し同じ高さに配置されるために、駆動部がブラインドの遮蔽材側に下がることはなく、したがって駆動部が遮蔽材を隠蔽することはなく、ブラインドとしての機能を損なうことを防止することができる。
【００１３】
また、駆動部及び従動部をコンパクトに構成することができて、駆動部のヘッドボックスの外側への突出高さを抑え、従動部のヘッドボックス内における占有容積を小さく抑えることができる。
【００１４】
請求項２記載の発明によれば、さらに、駆動部と従動部との磁石の数を異ならしめることにより、駆動部の回転が従動部へと異なる回転数で伝達されるので、駆動部の操作速度に対して回転軸の回転速度を増速または減速させることができる。
【００１５】
請求項３記載の発明によれば、さらに、駆動部の従動部へ磁力を及ぼす磁石の配列が、従動部の回転軸に対して直交する方向を向くことにより、駆動部の回転中心と従動部の回転中心とを互いに直交し同じ高さに配置することができ、且つ従動部をコンパクトに構成することもできる。
【００１６】
請求項４記載の発明によれば、駆動部の複数の磁石がヘッドボックスの外面と平行に配置されて、操作ユニットのガラス面からの突出寸法をサッシが引き違い可能な寸法以下となるようにしたことから、隣接するサッシとの引き違いができ、ガラス板面の清掃も容易に行うことができるようになる。
【発明を実施するための最良の形態】
【００１７】
以下、図面を用いて本発明の実施の形態を説明する。
【００１８】
図１は、本発明の第１実施形態にかかるブラインドの全体図である。図において、ブラインド１０は、フレーム３２と該フレーム３２に支持される一対のガラス板３４からなる複層ガラスと、図示しない窓枠とを有するサッシ３０の内部に配設されるものであり、サッシ３０の内部である一対のガラス板３４間にはヘッドボックス１２と、ヘッドボックス１２に支持される遮蔽材としてのスラット１４とが配設され、サッシ３０の外部のガラス板３４の外側には操作ユニット１６が配設される。
【００１９】
ヘッドボックス１２内には、ヘッドボックス１２の長手方向を伸びる回転軸１８と、該回転軸１８に連結された巻取ドラムが配設されており、回転軸１８を回転させると回転軸１８と一体的に巻取ドラムが回転し、この回転によって、巻取ドラムに連結された昇降コード２６及び／またはラダーコード２８等の動作コードにより、スラット１４の昇降・回転等の動作をさせることが可能となっている。
【００２０】
操作ユニット１６は、サッシ３０に対して回転可能に軸支される円板状プーリの駆動部２０と、該駆動部２０を回転させるために駆動部２０に巻き掛けられた操作コード２２とを備える。図３及び図４に示したように、駆動部２０は、ヘッドボックス１２の正面１２ａに平行に配設され、その回転軸心は該正面１２ａ、ガラス板３４面及び回転軸１８に垂直の方向を向いている。円板状の駆動部２０は、Ｎ極とＳ極に帯磁された複数の磁石２０Ｎ、２０Ｓを周方向に交互に配してなる。この例の磁石２０Ｎ、２０Ｓは、各帯磁部分が円板の中心角４５度の扇状部分内に配置されたものとなっており、ヘッドボックス１２の正面１２ａに対して平行に配置され、ヘッドボックス１２の正面１２ａからの前方への突出寸法は小さく制限されている。
【００２１】
ヘッドボックス１２内には、回転軸１８の端部にあり且つ駆動部２０に対向した円筒状の従動部２４が設けられる。図３及び図４に示したように、従動部２４は、回転軸１８の延長線上にあるため、その回転軸心は回転軸１８と共通となっている。円筒状の従動部２４は、Ｎ極とＳ極に帯磁された複数の磁石２４Ｎ、２４Ｓを周方向に交互に配してなる。この例の磁石の配置は、極性が９０度ごとに切り替わるようになっている。
【００２２】
以上のように駆動部２０の回転中心と従動部２４及び回転軸１８の回転中心との関係は、互いに直交すると共に同じ高さとなっている。
【００２３】
また、上記のように駆動部２０及び従動部２４のそれぞれの磁石はその数が異なっており、この例では、駆動部２０の磁石の数が従動部２４の数の２倍となっている。さらに、駆動部２０の磁石と従動部２４の磁石の互いに磁力を及ぼし得る作動範囲は、駆動部２０の作動範囲が、図５における最左側に位置づけられた上下２つの磁石の範囲であるのに対して、従動部２４の作動範囲は正面側に位置づけられた２つの磁石の範囲となっており、駆動部２０の１つの磁石の磁力を及ぼす範囲は、従動部２４の１つの磁石分に相当するようになっている。
【００２４】
以上のように構成されるブラインドにおいて、操作コード２２の前後の部分のいずれかを持って下方へと引っ張ると、図５に示したように、駆動部２０が回転して、前記磁力を及ぼし得る作動範囲にある２つの磁石の極性の上下関係がＮ極とＳ極の間で交互に変化する。この変化に応じて、磁力により従動部２４の作動範囲にある磁石も変化して、従動部２４に回転が伝達される。
【００２５】
駆動部２０の磁石の数が従動部２４の２倍となっており、且つ駆動部２０の１つの磁石の磁力を及ぼす範囲が、従動部２４の１つの磁石分に相当しているために、駆動部２０が１回転するのに対して、従動部２４は２回転することになり、回転が増速されて伝達される。
【００２６】
こうして、磁石だけで増速を行うことができ、遊星ギヤ等の増速ギヤ等を不要にすることができ、且つ駆動部２０の磁石がヘッドボックス１２の正面１２ａに対して平行に配置されているので、操作ユニット１６の部分の厚みを、円板状の駆動部２０の突出寸法が制限された厚みのみによってほぼ決まる肉薄にすることができる。こうして、操作ユニット１６がガラス板３４から突出する突出寸法が小さくなるために、隣接する別のサッシ３０との引き違い可能な最大寸法以下とすることができる。隣接する別のサッシ３０との引き違いを行うことも可能になるために、ガラス板３４面の清掃も容易に行うことができるようになる。
【００２７】
駆動部２０の回転中心の高さと、従動部２４の回転中心の高さは、同じ高さとなっているために、駆動部２０の高さは、ヘッドボックス１２の高さとほぼ同じ高さとすることができ、そのため、駆動部２０がスラット１４に重なることはなく、駆動部２０がスラット１４を隠蔽することはなく、ブラインドとしての機能を損なうことはない。
【００２８】
また、従動部２４の回転中心軸に沿った長さを短く構成することができ、コンパクトに構成することができる。
【００２９】
以上の例では、駆動部２０の磁石の数が従動部２４の磁石の数よりも多くなっており、結果として増速効果を持つことができたが、これに限るものではなく、駆動部２０の磁石の数を従動部２４の磁石の数よりも少なくして、結果として減速効果を持たせることもできる。
【図面の簡単な説明】
【００３０】
【図１】本発明のブラインドの全体正面図である。
【図２】図１のブラインドの２−２線に沿って見た図である。
【図３】駆動部と従動部を含む要部の正面から見た図である。
【図４】駆動部と従動部を含む要部の断面図である。
【図５】（ａ）〜（ｅ）は駆動部と従動部の動作を順次表す説明図である。
【符号の説明】
【００３１】
１０  ブラインド
１２  ヘッドボックス
１２ａ ヘッドボックスの外面
１４  スラット（遮蔽材）
１６  操作ユニット
１８  回転軸
２０  駆動部
２０Ｎ、２０Ｓ  磁石
２４  従動部
２４Ｎ、２４Ｓ  磁石
３０  サッシ
３４  ガラス板
【図１】
2006144362.tif 000003
【図２】
2006144362.tif 000004
【図３】
2006144362.tif 000005
【図４】
2006144362.tif 000006
【図５】
2006144362.tif 000007